(57)【要約】      （修正有）【課題】洗濯・脱水・乾燥の行程中に、外箱と水槽との間の振動伝達を確実に遮断し、外箱振動および騒音発生を低減できる洗濯乾燥機を得る。【解決手段】外箱１内にその四隅から吊下げ手段４によって水槽２を吊下げ、底部に攪拌翼を配設した洗濯兼脱水槽を前記水槽２内に配設し、洗濯兼脱水槽の下方にギヤ、クラッチなどの機構を介してモータ３を配設した洗濯乾燥機において、前記吊下げ手段４は、その一部をワイヤ６やロープなどの可撓性索条により構成される。【選択図】図１
2007312835.tif 000002
【特許請求の範囲】
【請求項１】
外箱内にその四隅から吊下げ手段によって水槽を吊下げ、底部に攪拌翼を配設した洗濯兼脱水槽を前記水槽内に配設し、洗濯兼脱水槽の下方にギヤ、クラッチなどの機構を介してモータを配設した洗濯乾燥機において、前記吊下げ手段は、その一部をワイヤやロープなどの可撓性索条により構成されることを特徴とする洗濯乾燥機。
【請求項２】
前記吊下げ手段は、上端を第１の支持片を取付けた吊り可撓性索条の下方部に、上下を第２および第３の支持片で挟着されるバネ部材を設け、このバネ部材の外周面を弾性部材でくるんで構成し、第１の支持片を外箱で支持し、第２の支持片を水槽に接触させることを特徴とする請求項１記載の洗濯乾燥機。
【請求項３】
前記外箱の四隅に配設した吊下げ手段の可撓性索条は、対角上または前後に配置されることを特徴とする請求項１または請求項２に記載の洗濯乾燥機。
【請求項４】
前記第２の支持片の水槽への接触部を、水槽の上下方向の重心位置よりも下方に配置したことを特徴とする請求項２または請求項３に記載の洗濯乾燥機。
【発明の詳細な説明】
【技術分野】
【０００１】
本発明は、洗濯乾燥機の特に水槽の支持手段に関するものである。
【背景技術】
【０００２】
一般に、洗濯乾燥機は外箱内にその四隅から吊下げ手段によって水槽を吊下げ、底部に攪拌翼を配設した洗濯兼脱水槽を前記水槽内に配設し、洗濯兼脱水槽の下方にギヤ、クラッチなどの機構を介してモータを配設したもので、前記吊下げ手段は、例えばダンパ（バネ部材）を有する吊り棒で構成されており、水槽はこの吊り棒により外箱内でその四隅から揺動自在に懸下されている（例えば特許文献１参照）。
【０００３】
そして、洗濯行程や脱水行程では洗濯物である衣類の洗濯兼脱水槽内での片寄りによるアンバランスによって、洗濯兼脱水槽や水槽に大きな振動が発生するが、吊り棒によってこの振動が外箱に伝わらないようにしている。
【特許文献１】特開２００４−３４４３３８号公報（図１）
【発明の開示】
【発明が解決しようとする課題】
【０００４】
洗濯行程時の振動を抑えるために、従来は、例えば弾性（ゴム）部材をバネ部材の外周面に配置し、これによりバネ部材の鋼線とゴム部材とを摩擦摺動させ、振動を減衰させるようにしているが、吊り棒を使用しているため、ねじり方向への剛性が大きく、攪拌翼回転時の反力などで水槽が回転方向に振動する際に、外箱と水槽との間で振動伝達されるため、外箱振動および騒音が発生するという問題があった。
【０００５】
また、脱水行程時の振動を抑えるためにも、前記と同様にして弾性（ゴム）部材をバネ部材の外周面に配置し、これによりバネ部材の鋼線とゴム部材とを摩擦摺動させ、振動を減衰させるようにしているが、吊り棒を使用しているために、上下方向の剛性があり、脱水起動時の傾き振動発生の際に、外箱と水槽との間で振動伝達されるため、外箱振動および騒音が発生するという問題があった。
【０００６】
本発明は前記従来例の不都合を解消するものとして、洗濯・脱水・乾燥の行程中に、外箱と水槽との間の振動伝達を確実に遮断し、外箱振動および騒音発生を低減できる洗濯乾燥機を提供することを目的とする。
【課題を解決するための手段】
【０００７】
本発明は前記目的を達成するものとして、外箱内にその四隅から吊下げ手段によって水槽を吊下げ、底部に攪拌翼を配設した洗濯兼脱水槽を前記水槽内に配設し、洗濯兼脱水槽の下方にギヤ、クラッチなどの機構を介してモータを配設した洗濯乾燥機において、前記吊下げ手段は、その一部をワイヤやロープなどの可撓性索条により構成されることを特徴とする。
【発明の効果】
【０００８】
水槽は剛性の少ないワイヤやロープなどの可撓性索条により外箱から吊下げられるので、洗濯行程や脱水行程で洗濯物の片寄りによって洗濯兼脱水槽や水槽が振動しても、外箱と水槽との間での振動伝達が遮断されるから、外箱振動や騒音の小さい洗濯乾燥機が得られるものである。
【発明を実施するための最良の形態】
【０００９】
以下、図面について本発明の実施形態を詳細に説明する。図１は本発明の洗濯乾燥機の実施形態を示す側面側の説明図、図２は同上平面側の説明図、図３は同上要部である吊下げ手段の斜視図で、洗濯乾燥機の全体構成は既に説明したとおり、洗濯乾燥機は外箱１内にその四隅から吊下げ手段４によって水槽２を吊下げ、図示は省略するが底部に攪拌翼を配設した洗濯兼脱水槽５を前記水槽内に配設し、洗濯兼脱水槽の下方にギヤ、クラッチなどの機構を介してモータ３を配設している。
【００１０】
本発明は前記吊下げ手段４として、図３に示すように上端に第１の支持片８を取付けたワイヤ６やロープなどの可撓性索条と、その下部に取付けられ、上下を第２の支持片９と第３の支持片１０とで挟着されるバネ部材７とで構成し、バネ部材７の外周面にゴムなどを材質する部材、例えばゴム管などを使用する弾性部材１１を被装した。
【００１１】
そして、前記第１の支持片８を外箱１の内側に突出させたフランジに係止し、第２の支持片９を水槽２の側部から側方に突出させたフランジに係止する。これにより、吊下げ手段４が外箱１と水槽２との間に懸架され、第２の支持片９が水槽２と接触することになる。
【００１２】
この場合、バネ部材７は鉛直方向に対して斜めに向くようにセットする。
【００１３】
また、第２の支持片の水槽２との接触部を、水槽２の上下方向の重心位置よりも下方に配置した。
【００１４】
さらに、吊下げ手段４は、外箱１内の四隅に配置されるが、四隅の全てに本発明の構成によるワイヤ６を使用する吊下げ手段４を配置する必要はなく、少なくとも対角上または前後に配置すればよく、ワイヤ６以外の吊下げ手段４については従来の吊り棒を使用すれば低コストとなる。なお、吊ワイヤの使用は、吊り棒と同等程度の引張り強度を有し、外箱１内のスペース有効利用が図れる。
【００１５】
次に動作について説明する。洗濯行程が始ったとき、洗濯物である衣類が洗濯兼脱水槽５内で片寄っているとアンバランスによって、洗濯兼脱水槽５および水槽２に大きな振動が発生する。
【００１６】
このとき、弾性部材１１がバネ部材７の外周に配置されているから、バネ部材７の鋼線と弾性部材１１のゴムとが摩擦摺動して振動が減衰される。さらに、吊リ部材がワイヤであることから、ねじり方向への剛性が小さくなり、攪拌翼回転時の反力などで水槽２が回転方向に振動する際に、外箱１と水槽２との間で振動の伝達が遮断され、外箱１の振動および騒音発生が低減する。
【００１７】
また、脱水行程でもアンバランスによって洗濯兼脱水槽５および水槽２に大きな振動が発生することがあるが、この場合も洗濯行程の場合と同様にして外箱１の振動および騒音発生が低減する。
【００１８】
この場合、水槽２と第２の支持片９との接触位置を水槽２の上下方向の重心位置よりも下に位置させたから、例えばワイヤ６を巻き上げて水槽２を傾斜させたときに第２の支持片９が外方に飛出し外箱１の内側に接触することを防止できる。
【００１９】
また、バネ部材７は斜めにセットしたから、横振動と傾振動との両方に対して有効に減衰できる。
【００２０】
なお、吊下げ手段４の構成は、前記のようなワイヤ６で形成する他に、図４〜図６に示すようにワイヤ６と従来使用している吊り棒１２との組合せとすることもできる。
【００２１】
この場合、図示のように上部をワイヤ６とし、下部を吊り棒１２とする。そして、両者の結合手段としては、図４のように接続金具１３を使用してワイヤ６の下部をボルト１５で接続金具１３に挟み込んで結合し、吊り棒１２の上部をねじ部１４に形成し、このねじ部１４を接続金具１３に形成したねじ孔に螺合する。
【００２２】
または、図５に示すように接続金具１３の吊り棒１２との結合部について、係止孔１６を形成するとともに、吊り棒１２の上端をフック部１２ａに形成し、この係止孔１６にフック部１２ａを掛止することで、接続金具１３を介して吊り棒１２とワイヤ６とを結合することもできる。
【００２３】
さらに、図６に示すように接続金具を使用せず、ワイヤ６の下部もフック部６ａに形成し、このフック部６ａと吊り棒１２のフック部１２ａを直接絡み合わせて接続することもできる。
【図面の簡単な説明】
【００２４】
【図１】本発明の洗濯乾燥機の実施形態を示す側面側の説明図である。
【図２】本発明の洗濯乾燥機の実施形態を示す平面側の説明図である。
【図３】本発明の洗濯乾燥機の要部である吊下げ手段の斜視図である。
【図４】吊下げ手段の第２例を示す要部の縦断正面図である。
【図５】吊下げ手段の第３例を示す要部の縦断正面図である。
【図６】吊下げ手段の第４例を示す要部の縦断正面図である。
【符号の説明】
【００２５】
１  外箱                        ２  水槽
３  モータ                      ４  吊下げ手段
５  洗濯兼脱水槽                ６  ワイヤ
６ａ  フック部
７  バネ部材                    ８  第１の支持片
９  第２の支持片                １０  第３の支持片
１１  弾性部材                  １２  吊り棒
１２ａ  フック部                １３  接続金具
１４  ねじ部                    １５  ボルト
１６  係止孔
【図１】
2007312835.tif 000003
【図２】
2007312835.tif 000004
【図３】
2007312835.tif 000005
【図４】
2007312835.tif 000006
【図５】
2007312835.tif 000007
【図６】
2007312835.tif 000008